【手続補正書】
【提出日】平成19年6月22日(2007.6.22)
【手続補正１】
【補正対象書類名】特許請求の範囲
【補正対象項目名】全文
【補正方法】変更
【補正の内容】
【特許請求の範囲】
【請求項１】
データの記憶及び読出しが行える記憶手段と、外部装置と接続する接続手段を備えたデータ記憶装置であって、
前記接続手段からのデータが前記記憶手段に書き込まれたことに応答して、前記書き込まれたデータを解析する制御手段と、
前記制御手段による解析の結果に従って書き込まれたデータに対し特殊処理を行う特殊処理手段と
を備えることを特徴とするデータ記憶装置。
【請求項２】
前記制御手段は、書き込まれたファイルの拡張子に基づき、前記特殊処理手段による特殊処理の処理内容を決定することを特徴とする請求項１に記載のデータ記憶装置。
【請求項３】
前記制御手段は、書き込まれたテキストファイルの内容に書かれたコマンドを解析し、前記解析の結果に基づき前記特殊処理手段による特殊処理の内容を決定することを特徴とする請求項１に記載のデータ記憶装置。
【請求項４】
前記制御手段は、書き込まれたファイルのヘッダ部分に書かれたコマンドを解析し、前記解析の結果に基づき前記特殊処理手段による特殊処理の処理内容を決定することを特徴とする請求項１に記載のデータ記憶装置。
【請求項５】
前記制御手段は、特殊処理が終了したことを前記接続手段におけるコマンドによって通知することを特徴とする請求項１〜４のいずれかに記載のデータ記憶装置。
【請求項６】
前記制御手段は、特殊処理の終了を前記接続手段におけるコマンドによって通知することを特徴とする請求項５に記載のデータ記憶装置。
【請求項７】
前記制御手段は、特殊処理が終了したことを予め決められたファイルを生成することによって通知することを特徴とする請求項５に記載のデータ記憶装置。
【請求項８】
前記制御手段は、特殊処理の終了を予め決められたフォーマットやコマンドに従ったファイルを生成することによって通知することを特徴とする請求項７に記載のデータ記憶装置。
【請求項９】
前記制御手段は、外部装置からの要求に応じて、特殊処理されたデータを読出しファイルとして、外部装置に転送することを特徴とする請求項５に記載のデータ記憶装置。
【請求項１０】
前記制御手段は、外部装置から読出し要求されたファイルがない場合で、既に特殊処理の要求を受け付けておりこの処理後のファイルが該当する場合、前記読出し要求を受け付け特殊処理が終了した後に読出しファイルとして処理後のファイルを転送することを特徴とする請求項９に記載のデータ記憶装置。
【請求項１１】
データの記憶及び読出しが行える記憶手段と、外部装置と接続する接続手段を備えたデータ記憶装置であって、
前記接続手段からのデータが前記記憶手段に書き込まれたことに応答して、前記接続手段からの特殊コマンドを解析する制御手段と、
前記制御手段による解析の結果に従って書き込まれたデータに対し特殊処理を行う特殊処理手段と
を備えることを特徴とするデータ記憶装置。
【請求項１２】
データの記憶及び読出しが行える記憶手段と、外部装置と接続する接続手段を備えたデータ記憶装置であって、
前記接続手段からのデータが前記記憶手段に書き込まれたことに応答して、書き込まれたデータが予め決められた記憶領域に書き込まれたかを判別する制御手段と、
前記制御手段による判別の結果に従って書き込まれたデータに対し特殊処理を行う特殊処理手段と
を備えることを特徴とするデータ記憶装置。
【請求項１３】
データの記憶及び読出しが行える記憶手段と、外部装置と接続する接続手段を備えたデータ記憶装置であって、
前記接続手段からのデータが前記記憶手段に書き込まれたことに応答して、外部装置から書き込まれたデータを解析する制御手段と、
前記制御手段による解析の結果に従って書き込まれたデータに対し特殊処理を行う特殊処理手段と、
前記特殊処理における中間データを記憶する他の記憶手段と
を備えることを特徴とするデータ記憶装置。
【請求項１４】
前記記憶手段はＦＲＯＭであり、前記他の記憶手段はＤＲＡＭであることを特徴とする請求項１３に記載のデータ記憶装置。
【請求項１５】
データの記憶及び読出しが行える記憶手段と、外部装置と接続する接続手段を備えたデータ記憶装置であって、
前記接続手段からのデータが前記記憶手段に書き込まれたことに応答して、外部装置から書き込まれたデータを解析する制御手段と、
前記制御手段による解析の結果に従って書き込まれたデータに対し特殊処理を行う特殊処理手段とを備え、
前記制御手段は、第１の要求に対する前記特殊処理を行っている際に外部装置から他の第２の要求があった場合にこれを解析し、前記第１及び第２の要求に対する前記特殊処理のそれぞれの優先を判断することを特徴とするデータ記憶装置。
【請求項１６】
前記制御手段は、要求の内容と優先順位とを対応が管理された管理テーブルに基づき、外部装置からの第１の要求と外部装置からの第２の要求との処理順序を決定することを特徴とする請求項１５に記載のデータ記憶装置。
【請求項１７】
前記制御手段は外部装置からの前記第１の要求の残り処理時間と前記第２の要求の処理時間を概算し、前記概算の結果から処理順序を決定することを特徴とする請求項１６に記載のデータ記憶装置。
【請求項１８】
前記制御手段は、特殊処理の対象となるデータのサイズから前記処理時間を概算することを特徴とする請求項１７に記載のデータ記憶装置。
【請求項１９】
前記制御手段は、特殊処理の対象となるデータのファイルのヘッダ情報から特殊処理の処理時間を概算することを特徴とする請求項１７に記載のデータ記憶装置。
【手続補正２】
【補正対象書類名】明細書
【補正対象項目名】０００５
【補正方法】変更
【補正の内容】
【０００５】
上記目的を達成するために、本発明のデータ記憶装置は、データの記憶及び読出しが行える記憶手段と、外部装置と接続する接続手段を備えたデータ記憶装置であって、前記接続手段からのデータが前記記憶手段に書き込まれたことに応答して、前記書き込まれたデータを解析する制御手段と、前記制御手段による解析の結果に従って書き込まれたデータに対し特殊処理を行う特殊処理手段とを備えることを特徴とする。
【手続補正３】
【補正対象書類名】明細書
【補正対象項目名】０００６
【補正方法】変更
【補正の内容】
【０００６】
また、本発明のデータ記憶装置は、データの記憶及び読出しが行える記憶手段と、外部装置と接続する接続手段を備えたデータ記憶装置であって、前記接続手段からのデータが前記記憶手段に書き込まれたことに応答して、前記接続手段からの特殊コマンドを解析する制御手段と、前記制御手段による解析の結果に従って書き込まれたデータに対し特殊処理を行う特殊処理手段とを備えることを特徴とする。
【手続補正４】
【補正対象書類名】明細書
【補正対象項目名】０００７
【補正方法】変更
【補正の内容】
【０００７】
また、本発明のデータ記憶装置は、データの記憶及び読出しが行える記憶手段と、外部装置と接続する接続手段を備えたデータ記憶装置であって、前記接続手段からのデータが前記記憶手段に書き込まれたことに応答して、書き込まれたデータが予め決められた記憶領域に書き込まれたかを判別する制御手段と、前記制御手段による判別の結果に従って書き込まれたデータに対し特殊処理を行う特殊処理手段とを備えることを特徴とする。
【手続補正５】
【補正対象書類名】明細書
【補正対象項目名】０００８
【補正方法】変更
【補正の内容】
【０００８】
また、本発明のデータ記憶装置は、データの記憶及び読出しが行える記憶手段と、外部装置と接続する接続手段を備えたデータ記憶装置であって、前記接続手段からのデータが前記記憶手段に書き込まれたことに応答して、外部装置から書き込まれたデータを解析する制御手段と、前記制御手段による解析の結果に従って書き込まれたデータに対し特殊処理を行う特殊処理手段と、前記特殊処理における中間データを記憶する他の記憶手段とを備えることを特徴とする。
【手続補正６】
【補正対象書類名】明細書
【補正対象項目名】０００９
【補正方法】変更
【補正の内容】
【０００９】
また、本発明のデータ記憶装置は、データの記憶及び読出しが行える記憶手段と、外部装置と接続する接続手段を備えたデータ記憶装置であって、前記接続手段からのデータが前記記憶手段に書き込まれたことに応答して、外部装置から書き込まれたデータを解析する制御手段と、前記制御手段による解析の結果に従って書き込まれたデータに対し特殊処理を行う特殊処理手段とを備え、前記制御手段は、第１の要求に対する前記特殊処理を行っている際に外部装置から他の第２の要求があった場合にこれを解析し、前記第１及び第２の要求に対する前記特殊処理のそれぞれの優先を判断することを特徴とする。